(57)【要約】【課題】水かえしや前垂れがなくてもカウンター表面を伝って水が収納部内に侵入することを防止することが可能なモール、およびこれを備えたカウンターを提供する。【解決手段】本発明の代表的な構成は、収納部を下方に有するカウンター１１０の下面の外縁に沿って配置されるモール２００であって、カウンター１１０の外縁より後退した位置に配置された縦壁２０４と、縦壁２０４の下端から前方に向かって伸びる底板２０６とを備え、底板２０６は奥側より先端２０６ａ側が上方に上がっていて、該底板２０６全体に水受け２０８として機能する窪みが形成されていることを特徴とする。【選択図】図４
2019063376.tif 000002
【特許請求の範囲】
【請求項１】
収納部を下方に有するカウンターの下面の外縁に沿って配置されるモールであって、
カウンターの外縁より後退した位置に配置された縦壁と、
前記縦壁の下端から前方に向かって伸びる底板とを備え、
前記底板は奥側より先端側が上方に上がっていて、該底板全体に水受けとして機能する窪みが形成されていることを特徴とするモール。
【請求項２】
前記底板の先端の下面には、下方に突出した水切り用のかえしが形成されていることを特徴とする請求項１に記載のモール。
【請求項３】
前記縦壁の上端から前方に向かって伸びる上板を備え、
上板の下面は、カウンターの外縁から縦壁に向かって斜めに下がる傾斜になっていることを特徴とする請求項１または請求項２に記載のモール。
【請求項４】
下面の外縁に沿って請求項１から請求項３のいずれか１項に記載のモールを備えたことを特徴とするカウンター。
【発明の詳細な説明】
【技術分野】
【０００１】
本発明は、システムキッチン等の下方に収納部を有するカウンターの下面の外縁に沿って配置されるモール、およびこれを備えたカウンターに関する。
【背景技術】
【０００２】
従来から、システムキッチンのカウンター（ワークトップ）には、上面の外縁に沿って水かえしが設けられていた。水かえしとはカウンターの主表面よりわずかに高く盛り上げた構造であり、カウンター上にこぼれた水をせき止める役割を有している。しかし多量の水がカウンター上にこぼれると、水かえしを乗り越えてしまう。そこで、カウンターの側周面に前垂れを形成して、前垂れの下端を幕板や収納部の前板の上辺近傍まで下げている。これにより、流れ落ちる水がカウンターの表面を伝って、幕板や収納部の前板の上を通り越してキャビネットの中に侵入することを防いでいる。
【先行技術文献】
【特許文献】
【０００３】
【特許文献１】特許４９４０５１６号公報
【特許文献２】特許４４７９５１７号公報
【特許文献３】特許４６６９３８３号公報
【発明の概要】
【発明が解決しようとする課題】
【０００４】
水かえしはカウンターより上に寸法を伸ばすものであり、前垂れはカウンターより下に寸法を伸ばすものである。したがってこれらはいずれも、カウンターの見かけ上の厚みを増すものである。一方、近年のデザイン性の向上により、カウンターの厚みを減らしたいという要請がある。カウンターしたがって、水かえしや前垂れに代わる水の侵入防止構造が望まれている。
【０００５】
カウンターからの水の侵入防止構造を考えるとき、カウンターの下面の外縁に沿ってモールを配置し、このモールによって何らかの対策を講じることが考えられる。
【０００６】
特許文献１には、カウンターの下面と箱体の上端部との間の隙間にレール部材（モールに相当する）が嵌め込まれ、レール部材にスライド式のタオル掛けなどを取り付ける構成が提案されている。
【０００７】
特許文献２には、カウンタの側周面に、物品を保持する保持具を左右方向に移動自在に支持する支持レールが延設された構成が記載されている。
【０００８】
特許文献３には、収納部の上方にある幕板に、他の機能を有する機能部品を取り付ける断面Ｈ型形状の取付部が形成された構成が記載されている。
【０００９】
特許文献１から特許文献３のいずれの構成にあっても、カウンターの下側に配置される構成ではあるものの、水の侵入を防止できる構造は有していない。したがって本発明が課題とするカウンター表面を伝って収納部内に水が侵入することを防止することはできない。
【００１０】
本発明は、このような課題に鑑み、水かえしや前垂れがなくてもカウンター表面を伝って収納部内に水の侵入を防止することが可能なモール、およびこれを備えたカウンターを提供することを目的としている。
【課題を解決するための手段】
【００１１】
上記課題を解決するために、本発明の代表的な構成は、収納部を下方に有するカウンターの下面の外縁に沿って配置されるモールであって、カウンターの外縁より後退した位置に配置された縦壁と、縦壁の下端から前方に向かって伸びる底板とを備え、底板は奥側より先端側が上方に上がっていて、該底板全体に水受けとして機能する窪みが形成されていることを特徴とする。
【００１２】
上記構成によれば、カウンター上にこぼした水がカウンターの縁からしたたり落ちたとき、ある程度の量まではモールの水受けに溜めることができ、布巾などで拭きとることができるし、そのままであったとしてもここで蒸発させることができる。したがって、カウンター上に水かえしや前垂れを設ける必要がなくなり、カウンターの見かけ上の厚みを薄くすることができる。またカウンターを縁まで平坦にすることができる。これらのことから、カウンターの美観を向上させることができる。
【００１３】
底板の先端の下面には、下方に突出した水切り用のかえしが形成されていてもよい。これにより、モールの水受けからあふれた水を底板の先端から直下にしたたらせることができる。したがって、水が収納部の内部に回り込むことを効果的に防止することができる。
【００１４】
縦壁の上端から前方に向かって伸びる上板を備え、上板の下面は、カウンターの外縁から縦壁に向かって斜めに下がる傾斜になっていてもよい。これにより、カウンターの縁からしたたり落ちた水を、上板の下面、縦壁と伝わせて、効果的に底板の水受けまで導くことができる。
【００１５】
本発明にかかるカウンターの代表的な構成は、下面の外縁に沿って上記のモールを備えたことを特徴とする。このカウンターに置いては、カウンターに水かえしや前垂れを設けずとも、カウンターからこぼれた水の収納部内への侵入を防止することができる。
【発明の効果】
【００１６】
本発明によれば、水かえしや前垂れがなくてもカウンター表面を伝って収納部内に水を侵入することを防止することが可能なモール、およびこれを備えたカウンターを提供することができる。
【図面の簡単な説明】
【００１７】
【図１】システムキッチンの全体構成およびモールの拡大図を示す図である。
【図２】モールのパーツ構成を示す図である。
【図３】モールを説明する図である。
【図４】モールの機能を説明する図である。
【図５】端部キャップ左を説明する図である。
【図６】外角キャップを説明する図である。
【図７】内角キャップを説明する図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
図１は、システムキッチンの全体構成およびモールの拡大図を示す図である。図１（ａ）に示すキッチン１００は、収納部であるキャビネット１２０の上にカウンター１１０を備えている。キャビネットの側面には側板１３０が取り付けられている。カウンター１１０はＬ型となっていて、外角１１０ａ、内角１１０ｂ、および部屋の壁につけられる端部角１１０ｃを有している。
【００２０】
図１（ａ）および図１（ｂ）に示すように、カウンター１１０の下面の外縁に沿って、モール２００が取り付けられている。すなわちモール２００は、縦方向においてカウンター１１０と幕板１２４との間に、カウンター１１０と引出１２６との間に、またはカウンターと側板１３０との間に配置される。
【００２１】
図２はモール２００のパーツ構成を示す図である。モール２００はカウンター１１０の直線部（角部以外の部分）に配置される部材であって、図２では極端に短く描いている。カウンター１１０の外角１１０ａに対応する位置には外角キャップ２４０が配置される。カウンター１１０の内角１１０ｂに対応する位置には内角キャップ２５０が配置される。カウンター１１０の端部角１１０ｃに対応する位置には端部キャップ左２２０、または端部キャップ右２３０が配置される。
【００２２】
図３はモール２００を説明する図である。モール２００は同一断面の押し出し成形品であり、その長さはカウンター１１０の辺の長さに合わせて適宜切断して使用される。モール２００は樹脂またはアルミニウム合金で成形することができる。
【００２３】
モール２００は、カウンター１１０の下面に固定するための固定部２０２を備える。固定部２０２はカウンター１１０の下面に沿う平坦な板である。固定部２０２の両面には、ねじを揉み込むためのガイド溝２０２ａ、２０２ｂが形成されている。ガイド溝２０２ａ、２０２ｂは、ねじの先端がすべらないようにガイドする役割と共に、固定部２０２の肉厚を薄くすることによってねじを貫通しやすくする役割を有している。
【００２４】
縦壁２０４は、固定部２０２から下方に垂れ下がるように設けられている。縦壁２０４はカウンター１１０の外縁より後退した位置（奥まった位置）に配置される。
【００２５】
底板２０６は、縦壁２０４の下端から前方（外側）に向かって伸びるように設けられている。底板２０６は奥側より先端２０６ａ側が上方に上がっていて、該底板全体に水受け２０８として機能する窪みが形成されている。底板２０６の先端２０６ａの下面には、下方に突出した水切り用のかえし２０６ｂが形成されている。
【００２６】
上板２１０は、縦壁２０４の上端から前方に向かって伸びるように設けられている。上板の下面２１０ａは、カウンター１１０の外縁から縦壁２０４に向かって斜めに下がる傾斜になっている。これにより、カウンターの縁からしたたり落ちた水を、縦壁２０４に伝わせることができる。上板の上面２１０ｂはカウンター１１０の下面と平行になっていて、これらの間に防水用のパッキン２１２が圧縮して挟まれる。
【００２７】
図４はモール２００の機能を説明する図であって、図４（ａ）は本実施形態にかかるキッチン１００の要部を説明する図、図４（ｂ）は比較例として従来技術のキッチン３００の要部を説明する図である。
【００２８】
図４（ａ）に示すように、カウンター１１０は水かえしも前垂れもない平坦な形状をしている。これによりカウンターの厚みがそのまま使用者に観察される厚みとなり、従来に比して薄く感じられる。またカウンター１１０の天面が縁まで平坦であるため、シンプルな形状となっている。これらのことから、カウンターの美観を向上させることができる。
【００２９】
カウンター１１０の上に水がこぼれた場合、水はカウンター１１０の縁をつたってモール２００へと流れていく。このとき上板の下面２１０ａが傾斜していることから、水は切れることなく縦壁２０４を介して底板２０６へとつたい、効果的に底板２０６の水受け２０８まで導くことができる。水受け２０８の容積は図４（ａ）ではわずかなように見えるが、実際はカウンター１１０の直線部に沿って長く連通しているため、相応に大きな容積を有している。したがって、カウンター１１０上にこぼした水がカウンター１１０の縁からしたたり落ちたとき、ある程度の量まではモール２００の水受け２０８に溜めることができ、ここで蒸発させることができる。
【００３０】
また、こぼれた水が水受け２０８の容積を超えた場合であっても、底板の先端２０６ａの下面にかえし２０６ｂが形成されていることにより、あふれた水を底板の先端２０６ａから直下に（幕板１２４の外側に）したたらせることができる。したがって、水がキャビネット１２０の内部に回り込むことを効果的に防止することができる。なお、かえし２０６ｂは幕板１２４の前面よりも手前側に位置している。
【００３１】
図４（ｂ）に示す従来技術のキッチン３００では、カウンター３１０の上面の外縁に沿って水かえし３１２が設けられている。カウンター３１０の上にこぼれた水は、まず水かえし３１２によってせき止められる。さらにカウンター３１０の側周面には前垂れ３１４が形成されている。前垂れ３１４の下端は幕板１２４や引出の前板の上辺近傍まで下げている。これにより、流れ落ちる水がカウンターの表面を伝って、幕板や収納部の前板の上を通り越してキャビネットの中に侵入することを防いでいる。
【００３２】
図４（ｂ）の構成では、使用者から観察されるカウンター３１０の厚みは、水かえし３１２から前垂れ３１４までの高さであり、本来のカウンター３１０の厚みよりもはるかに厚く見える。このためデザイン上の制約が生じ、美観の向上を図る上で障害の一つとなってしまう。
【００３３】
これに対し本発明のように、カウンター１１０の外周を上に盛り上げたり下に垂らしたりする必要がなければ、カウンター１１０の厚みをそのまま薄く見せることもできるし、デザインに応じて厚くすることもできる。したがってデザイン設計上の自由度を増すことができ、カウンターの美観を向上させることができる。
【００３４】
図５は端部キャップ左２２０を説明する図であって、図５（ａ）は外側斜視図、図５（ｂ）は内側斜視図である。端部キャップ右２３０については左右対称であるため図示および説明を省略する。
【００３５】
端部キャップ左２２０はモール２００の切り落とした端面を隠す役割を有していて、外観を向上させるために取り付けられる。端部キャップ左２２０は、モール２００の端部の外側を覆うカバー部２２２と、カウンター１１０の下面に固定するための固定部２２４を備える。固定部２２４はカウンター１１０の下面に沿う平坦な板である。固定部２２４には、固定用のねじを通すねじ穴２２６が設けられている。
【００３６】
図６は外角キャップ２４０を説明する図であって、図６（ａ）は外側斜視図、図６（ｂ）は内側斜視図である。外角キャップ２４０は、外角１１０ａの下でモール２００が突き合わされた端面を隠す役割を有している。外角キャップ２４０は、モール２００の端部の外側を覆うカバー部２４２と、カウンター１１０の下面に固定するための固定部２４４を備える。固定部２４４はカウンター１１０の下面に沿う平坦な板である。固定部２４４には、固定用のねじを通すねじ穴２４６が設けられている。
【００３７】
図７は内角キャップ２５０を説明する図であって、図７（ａ）は外側斜視図、図７（ｂ）は内側斜視図である。内角キャップ２５０は、内角１１０ｂの下でモール２００が突き合わされた端面を隠す役割を有している。内角キャップ２５０は、モール２００の端部の外側を覆うカバー部２５２と、カウンター１１０の下面に固定するための固定部２５４を備える。固定部２５４はカウンター１１０の下面に沿う平坦な板である。固定部２５４には、固定用のねじを通すねじ穴２５６が設けられている。
【００３８】
以上、添付図面を参照しながら本発明の好適な実施形態について説明したが、本発明は係る例に限定されないことは言うまでもない。例えば、洗面化粧台のようにカウンター上で水を取扱うもので、カウンターの下方に収納部を設けたものであれば本発明は有用に適用される。また、キッチン周辺の収納家具のカウンターのように、カウンター上に水を入れたものを載置したものであって、不意にこぼしてしまったときに、収納部への水の侵入を防ぐことができる。この他、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明は、カウンターの下面の外縁に沿って配置されるモール、およびこれを備えたカウンターとして利用することができる。
【符号の説明】
【００４０】
１００…キッチン、１１０…カウンター、１１０ａ…外角、１１０ｂ…内角、１１０ｃ…端部角、１２０…キャビネット、１２４…幕板、１２６…引出、１３０…側板、２００…モール、２０２…固定部、２０２ａ…固定部上面のガイド溝、２０２ｂ…固定部下面のガイド溝、２０４…縦壁、２０６…底板、２０６ａ…先端、２０６ｂ…かえし、２０８…水受け、２１０…上板、２１０ａ…上板の下面、２１０ｂ…上板の上面、２２０…端部キャップ左、２２２…カバー部、２２４…固定部、２２６…ねじ穴、２３０…端部キャップ右、２４０…外角キャップ、２４４…固定部、２４６…ねじ穴、２５０…内角キャップ、２５２…カバー部、２５４…固定部、３００…キッチン、３１０…カウンター、３１２…水かえし、３１４…前垂れ
【図１】
2019063376.tif 000003
【図２】
2019063376.tif 000004
【図３】
2019063376.tif 000005
【図４】
2019063376.tif 000006
【図５】
2019063376.tif 000007
【図６】
2019063376.tif 000008
【図７】
2019063376.tif 000009